(57)【特許請求の範囲】
【請求項１】
再生装置本体の前面に記録媒体挿入口を覆うように傾動可能に支持プレートを設け、この支持プレートに連結部材を介して制御パネルを離脱自在に取り付けた車載用記録媒体再生装置において、
前記支持プレートが連結解除可能位置に動かされた時にのみ前記連結部材の連結を解除可能に構成し、
前記制御パネルは、傾動リンク機構を介して手動で任意の位置に傾動自在であり、
前記傾動リンク機構は、前記支持プレートと、前記再生装置本体の前面の両端部の一対のブラケットに形成された長孔に遊嵌され、且つ、前記支持プレートに連結されるローラと、一端が前記支持プレートに連結され、他端が前記再生装置本体の固定部に連結されたリンクレバーと、を備えたことを特徴とする車載用記録媒体再生装置。
【請求項２】
前記連結部材は、前記支持プレートに設けられ前記制御パネルに離脱可能に係合する爪部材と、前記再生装置本体に設けられ前記爪部材を離脱方向に付勢可能なリリースレバーとを備え、このリリースレバーは前記支持プレートが連結解除可能位置に動かされ、且つ前記制御パネルの爪部解除キーが押動された時にのみ前記爪部材を離脱方向に付勢することを特徴とする請求項１記載の車載用記録媒体再生装置。
【請求項３】
前記爪部解除キーはリリースレバーを押動可能なロッドを備えることを特徴とする請求項２記載の車載用記録媒体再生装置。
【請求項４】
前記連結解除可能位置は制御パネルが起立した位置であることを特徴とする請求項１乃至３記載の車載用記録媒体再生装置。
【発明の詳細な説明】
【０００１】
【発明の属する技術分野】
本発明は、再生装置本体の前面に記録媒体挿入口を覆うように傾動可能な制御パネルを備えてなる車載用記録媒体再生装置の構造に関する。
【０００２】
【従来の技術】
一般に、ＣＤプレーヤ等の車載用記録媒体再生装置において、再生装置本体の前面に記録媒体挿入口を覆うように傾動可能な支持プレートを設け、この支持プレートに連結部材を介して制御パネルを離脱自在に取り付けた車載用記録媒体再生装置が知られている。この種のものでは自動車から運転者が離れる場合に制御パネルを盗難防止用に車外に持ち出すことができるように構成されている。
【０００３】
【発明が解決しようとする課題】
しかしながら、従来の構成では、支持プレートがいずれの位置に傾動されていたとしても、制御パネルを簡単に取り外すことができるので、例えばＣＤやカセットテープ等を排出動作させている最中に支持プレートから制御パネルを取り外したりすると、この制御パネルに排出動作中のＣＤ或いはカセットテープが衝突して、いずれかが破損するという問題がある。
【０００４】
また、支持プレートは板金製であるので、この支持プレートを傾動させた状態で、当該支持プレートから制御パネルを取り外したりすると、板金製の支持プレートが前方に突出するので、これに例えば運転者の手指が触れたりすると怪我をする等の不測の事態を招来するおそれがある。
【０００５】
そこで、本発明の目的は、安全な状態で支持プレートから制御パネルを取り外すことのできる車載用記録媒体再生装置を提供することにある。
【０００６】
【課題を解決するための手段】
前記目的を達成するために、請求項１記載の発明は、再生装置本体の前面に記録媒体挿入口を覆うように傾動可能に支持プレートを設け、この支持プレートに連結部材を介して制御パネルを離脱自在に取り付けた車載用記録媒体再生装置において、前記支持プレートが連結解除可能位置に動かされた時にのみ前記連結部材の連結を解除可能に構成し、前記制御パネルは、傾動リンク機構を介して手動で任意の位置に傾動自在であり、前記傾動リンク機構は、前記支持プレートと、前記再生装置本体の前面の両端部の一対のブラケットに形成された長孔に遊嵌され、且つ、前記支持プレートに連結されるローラと、一端が前記支持プレートに連結され、他端が前記再生装置本体の固定部に連結されたリンクレバーと、を備えたことを特徴とするものである。
【０００７】
請求項２記載の発明は、請求項１記載のものにおいて、前記連結部材は、前記支持プレートに設けられ前記制御パネルに離脱可能に係合する爪部材と、前記再生装置本体に設けられ前記爪部材を離脱方向に付勢可能なリリースレバーとを備え、このリリースレバーは前記支持プレートが連結解除可能位置に動かされ、且つ前記制御パネルの爪部解除キーが押動された時にのみ前記爪部材を離脱方向に付勢することを特徴とするものである。
【０００８】
請求項３記載の発明は、請求項２記載のものにおいて、爪部解除キーはリリースレバーを押動可能なロッドを備えることを特徴とするものである。
【０００９】
請求項４記載の発明は、請求項１乃至３記載のものにおいて、前記連結解除可能位置は制御パネルが起立した位置であることを特徴とするものである。
【００１０】
【発明の実施の形態】
以下、本発明の一実施形態を図面に基づいて説明する。
【００１１】
図１乃至図４において、参照符号１はパーソナルコンピュータ機能が付加された車載用の記録媒体再生装置における再生装置本体（以下、「ＣＤプレーヤ」という。）を示している。このＣＤプレーヤ１の前面には、図３に示すように、離脱可能制御パネル（Ｄｅｔａｃｈａｂｌｅ  Ｃｏｎｔｒｏｌ  ｐａｎｅｌ、以下、「ＤＣＰ」という。）３が設けられている。このＤＣＰ３は、図２中に想像線で示すように、ＣＤプレーヤ１の記録媒体挿入口４を覆うように手動で傾動自在に構成されている。そして、図３に示す起立位置からＤＣＰ３を最深傾動位置（以下、「記録媒体排出位置」という。）に傾動させた時には、図４に示すように、ＣＤプレーヤ１の前面に記録媒体挿入口４が露出し、更には記録媒体排出スイッチ６が押動可能に露出するように構成される。
【００１２】
記録媒体挿入口４を通じてコンパクトディスク（以下、「ＣＤ」という。）５が挿入されると、ＣＤ５に記録された音楽等が再生可能になる。
【００１３】
前記ＤＣＰ３には、図５に示すように、液晶表示部１１、電源キー１２のほかに、パーソナルコンピュータ用としての各種キー類、例えばエンターキー１３、ヘルプキー１５、スタートキー１７、メモキー１８、メーデーキー１９、データ入力キー１６等が設けられている。
【００１４】
ＣＤプレーヤ１には「Ｗｉｎｄｏｗｓ  ＣＥ」（マイクロソフト社製）等の汎用オペレーティングシステム（「ＯＳ」）が格納され、このＣＤプレーヤ１は前記のオペレーティングシステムをベースにした、例えばカーオーディオ、ナビゲーション、パーソナルコンピュータ、セキュリティ、無線通信等の各種システム・オペレーティングが可能に構成される。
【００１５】
前記オペレーティングシステムは、まずＤＣＰ３のスタートキー１７の押圧によって立ち上げられる。このスタートキー１７は、図６に示すように、固定部１７ａとこの固定部１７ａよりも引っ込んだ位置にある入力部１７ｂとで構成されている。従って、キー操作時には例えば目視によってキーの位置を確認しなくても、手指を固定部１７ａに動かしてキーの位置を確認した後、この固定部１７ａの真上に手指を動かして、入力部１７ｂの押圧を実行することができる。これによれば、ブラインドタッチでの誤入力が防止される。
【００１６】
前記オペレーティングシステムが立ち上げられた後は各種キーの操作によって各種システムのオペレーティングが可能になる。
【００１７】
ＤＣＰ３のメーデーキー１９が押圧されると、ＣＤプレーヤ１の電源キー１２が入力されてなくても、電源が自動的に立ち上がり、無線通信によって例えばレスキュー隊員に緊急事態発生を示す情報が発信される。このシステムは車の保護等を目的としたセキュリティ・システムである。
【００１８】
従って、図７に示すように、ＤＣＰ３の本体ケース３ａを凹ませ、この凹んだ位置にメーデーキー１９が設けられ、このメーデーキー１９は、間違って簡単に押圧できないように構成される。
【００１９】
パーソナルコンピュータ機能を付加したＣＤプレーヤ１にあっては、例えばメモリカード、ページャ受信用カード、その他のカード等のコンパクト・フラッシュ・カードが使用される。
【００２０】
この実施形態では、図１に示すように、ＣＤプレーヤ１の前面に横長のＤＣＰ３が設けられ、このＤＣＰ３の隣の前記ＣＤプレーヤ１の前面における縦長スペースにコンパクト・フラッシュ・カード２０の挿入部２１が設けられる。この挿入部２１は操作性の面からＤＣＰ３の近傍に設けることが望ましい。例えば、ＤＣＰ３を傾動させたときに運転者の前方に露出するＣＤプレーヤ１の内部、すなわち記録媒体挿入口４の近くに挿入部２１を設けてもよい。
【００２１】
この場合、例えばページャ受信用カードを使用する時にはページャ受信用カードに接続されたアンテナ（図示せず）の処理に問題が残る。ＤＣＰ３を起立させた場合にページャ受信用カードに接続されるアンテナをＣＤプレーヤ１の外部に導出することができないからである。
【００２２】
この実施形態では、ＤＣＰ３の隣に挿入部２１が設けられるので、この挿入部２１にページャ受信用カードを挿入した場合、ページャ受信用カードに接続されたアンテナ（図示せず）を外部に簡単に導出することができる。
【００２３】
また、このＣＤプレーヤ１は例えば自動車のダッシュボードやコンソールボックス等の極く限られたスペースに設置されるのが一般的である。
【００２４】
従って、ＣＤプレーヤ１の操作面として許容される面積は極めて限定される。この実施形態では、ＣＤプレーヤ１の前面にまず横長のＤＣＰ３を設け、この横長のＤＣＰ３の隣の縦長スペースに挿入部２１を設けたので、当該操作面の中にＤＣＰ３と挿入部２１とを極めて効率よくコンパクトに納めることができる。従って、自動車の運転者にとっての操作性を向上させることができる。
【００２５】
つぎに、ＤＣＰ３の傾動機構について説明する。
【００２６】
ＣＤプレーヤ１の前面の両端部には、図８に示すように、一対のブラケット３２が固定されている。このブラケット３２には長孔３３が形成され、この長孔３３にはローラ３５が遊嵌され、このローラ３５はＤＣＰ３の支持プレート３７に連結されている。この支持プレート３７は、図９、図１０に示すように、手動で任意の位置に傾動自在であり、この支持プレート３７にはＤＣＰ３が固定されている。３９はリンクレバーであり、一端３９ａが支持プレート３７に連結され、他端３９ｂがＣＤプレーヤ１の固定部に連結されている。このＤＣＰ３を傾動させる構造は傾動リンク機構を構成する。
【００２７】
また、図８に示すように、ブラケット３２の下端には樹脂製のブロック５１が固定され、このブロック５１の先端にはフック５３が形成される。このフック５３は、ＤＣＰ３が図９の位置に傾動された時には、ローラ３５によって矢印の方向に押し広げられ、ＤＣＰ３が図１０の記録媒体排出位置に傾動した時には、ローラ３５を乗り越えて矢印の方向に反発して押し戻される。
【００２８】
この場合、ＤＣＰ３を傾動させる操作者にはクリック感が得られる。従って、ブロック５１のフック５３はクリック感付与機構を構成する。
【００２９】
なお、このブロック５１のフック５３は一旦ローラ３５に係合すると、それ以後はローラ３５への抵抗となるので、例えば、図１０の位置から図９の位置にＤＣＰ３が不用意に動くようなことは防止される。
【００３０】
つぎに、ＤＣＰ３と支持プレート３７との連結構造について説明する。
【００３１】
ＤＣＰ３と支持プレート３７とは連結部材を介して取外し自在に連結されている。ＤＣＰ３の盗難防止のために運転者が自動車から離れる時に車外に持ち出せるようにするためである。前記の連結部材は、ＤＣＰ３の長手方向の両端部に設けられる。一端部側の連結部材は、図１に示すように、当該ＤＣＰ３の一端部３ｂに設けられる爪部２７と、この爪部２７が係合する開口２９とで構成され、この開口２９は支持プレート３７に形成されている。
【００３２】
ＤＣＰ３の他端部３ｃ側の連結部材は、図１１に示すように、支持プレート３７に設けられるリリースフック（「爪部材」）５１と、ＣＤプレーヤ１の固定部に設けられるリリースレバー５３とで構成されている。
【００３３】
リリースフック５１は、図１４に示すように、フック本体５１ａの上下に一対のフック部５１ｂを備え、このフック部５１ｂはＤＣＰ３の対応する開口５５（図１５参照）に係合自在である。また、リリースフック５１は、図１５に示すように、支持プレート３７に固定されるピン５４廻りを揺動自在になっており、通常時は図中反時計方向にばね（図示せず）で付勢されている。
【００３４】
リリースレバー５３は、図１１に示すように、ピン５７廻りを揺動自在になっており、通常時は図中時計方向にばね（図示せず）で付勢される。このリリースレバー５３の下端５３ａは、支持プレート３７が起立した図１１に示す位置（「連結解除可能位置」）に動かされた時に、リリースフック５１のフック本体５１ａに当接し、上端５３ｂはＣＤプレーヤ１の上部に延出して、ＤＣＰ３の爪部解除キー２５（図４参照）に連結されたロッド５９に当接している。
【００３５】
この実施形態では、ＤＣＰ３を支持プレート３７に装着する場合には、図１に示すように、挿入部２１の壁部２１ａにＤＣＰ３の一端部３ｂを当接・案内させた状態で、まず、この一端部３ｂを押圧して、当該ＤＣＰ３の一端部３ｂ側の爪部２７を支持プレート３７の開口２９に係合させる。ついで、図１５に示すように、ＤＣＰ３の他端部３ｃ側を矢印Ａ方向に押圧する。矢印Ａ方向に押圧すると、ＤＣＰ３の開口５５の外壁５５ａがばね（図示せず）のばね力に抗してフック部５１ｂを図中時計方向に押し退け、所定位置までＤＣＰ３が押し込まれた時点で外壁５５ａからフック部５１ｂが外れて、このフック部５１ｂがばねのばね力で図中反時計方向に付勢されて開口５５に嵌合される。
【００３６】
一方、ＤＣＰ３を支持プレート３７から取り外す場合には、まず、支持プレート３７を、図１１に示す起立した位置（「連結解除可能位置」）に起こして、ＤＣＰ３の爪部解除キー２５（図４参照）を押動する。
【００３７】
すると、図１２に示すように、爪部解除キー２５に連結されたロッド５９が図中左方向に移動し、リリースレバー５３の上端５３ｂが押動されて、このリリースレバー５３の下端５３ａが図中時計方向に回動される。
【００３８】
この下端５３ａは、図１４或いは図１５に示すように、矢印Ｂ方向からリリースフック５１の押し片５１ｃを押動し、リリースフック５１のフック部５１ｂがばね力に抗して図中時計方向に付勢され、これによって、ＤＣＰ３の他端部３ｃ側のフック部５１ｂが開口５５から外される。この場合、このフック部５１ｂが外されると同時に、ＤＣＰ３の他端部３ｃ側は支持プレート３７とＤＣＰ３との間に介装されたばね（図示せず）で押し出されて支持プレート３７から大きく引き離される。従って、この他端部３ｃ側を掴んで引き離せば、一端部３ｂ側の爪部２７の係合は簡単に解除される。
【００３９】
この実施形態では、支持プレート３７が、図１１に示す起立した位置（「連結解除可能位置」）に動かされ、且つＤＣＰ３の爪部解除キー２５（図４参照）が押動された時にのみリリースフック５１が離脱方向に付勢される。例えば、図１３に示すように、支持プレート３７が傾動した位置で、爪部解除キー２５を押動したとしても、ロッド５９がリリースレバー５３を押動しない。従って、リリースフック５１が離脱方向に付勢されることはない。
【００４０】
これによれば、支持プレート３７が傾動した位置では、ＤＣＰ３を取り外すことができないので、例えばＣＤ５やカセットテープ等を排出動作させている最中に、支持プレート３７からＤＣＰ３を取り外すことはできない。従って、排出動作中のＣＤ５或いはカセットテープが、ＤＣＰ３に衝突することはないので、ＤＣＰ３、ＣＤ５或いはカセットテープ等の破損が防止される。
【００４１】
また、支持プレート３７を傾動させた状態で、当該支持プレート３７からＤＣＰ３を取り外すことができないので、板金製の支持プレート３７のみが乗員前方に突出することはなく、安全性を向上させることができる。
【００４２】
【発明の効果】
本発明によれば、支持プレートが連結解除可能位置に動かされた時にのみ連結部材の連結が解除可能になるので、それ以外の位置では連結部材の連結は解除できず、従って、例えば記録媒体を排出動作させている最中に支持プレートから制御パネルを取り外すこと等はできず、排出動作中の記録媒体が制御パネルに衝突することはなく、制御パネル、記録媒体の破損を防止することができる。
【００４３】
また、例えば支持プレートを傾動させた状態で、当該支持プレートから制御パネルを取り外すことができないので、この支持プレートのみが乗員側前方に突出するようなことはなく、安全性を向上させることができる。
【図面の簡単な説明】
【図１】本発明による車載用記録媒体再生装置の一実施形態を示す平面図である。
【図２】同じく側面図である。
【図３】同じく正面図である。
【図４】制御パネルを傾動させた場合の正面図である。
【図５】制御パネルの正面図である。
【図６】制御パネルのスタートキーの断面図である。
【図７】制御パネルのメーデーキーの断面図である。
【図８】制御パネルの支持構造を示す図である。
【図９】制御パネルの支持構造を示す図である。
【図１０】制御パネルの支持構造を示す図である。
【図１１】連結部材を示す側面図である。
【図１２】連結部材を示す側面図である。
【図１３】連結部材を示す側面図である。
【図１４】制御パネルと連結部材との関係を示す図である。
【図１５】制御パネルと連結部材との関係を示す図である。
【符号の説明】
１  ＣＤプレーヤ（再生装置本体）
３  ＤＣＰ（制御パネル）
４  記録媒体挿入口
５  ＣＤ（コンパクトディスク）
３７  支持プレート
５１  リリースフック（「爪部材」）
５３  リリースレバー
５１ａ  フック本体
５１ｂ  フック部
５９  ロッド
【図１】
0003619655.tif 000002
【図２】
0003619655.tif 000003
【図３】
0003619655.tif 000004
【図４】
0003619655.tif 000005
【図５】
0003619655.tif 000006
【図６】
0003619655.tif 000007
【図７】
0003619655.tif 000008
【図８】
0003619655.tif 000009
【図９】
0003619655.tif 000010
【図１０】
0003619655.tif 000011
【図１１】
0003619655.tif 000012
【図１２】
0003619655.tif 000013
【図１３】
0003619655.tif 000014
【図１４】
0003619655.tif 000015
【図１５】
0003619655.tif 000016